(57)【要約】【課題】  現在、列車に乗車する以外の目的で、駅構内に入場する際には入場券を利用する必要がある。入場券切符を購入した場合では、改札機より入場し、改札機より出場することが可能であるが、ＩＣカードを利用した場合では、自動改札機による出場は出来ず、毎回駅員窓口にて出場処理をしてもうら必要がある。【解決手段】  本発明では、乗車券や入場券などとして用いられる記憶媒体（ＩＣカードを含む）に、交通機関の利用状況や店舗での購入の内容示す利用情報を書き込み、本利用情報に基づき、出場時に用いる自動改札機でインセンティブを付与するか否かを判断する。ここで、利用情報には、駅識別情報や購入の内容を示す購入情報が含まれる。【選択図】  図1
2008197940.tif 000002
【特許請求の範囲】
【請求項１】
駅構内に設置された店舗での購入に応じて、前記交通機関の利用料金もしくは前記購入での金額の割引を行うための交通機関における割引支援方法において、
前記利用者が前記駅構内に入場する際に、第１の自動改札機が、利用者が前記駅構内に入場するために用いる記憶媒体に当該駅と識別する第１の駅識別情報を書き込み、
前記利用者が前記店舗で購入した際、前記店舗で用いられる店舗装置が、前記記憶媒体に、当該購入に関する購入情報を書き込み、
前記利用者が前記駅構内に出場する際に、第２の自動改札機が、
（１）前記記憶媒体から、書き込まれた前記第１の駅識別情報を読み取り、
（２）自身が記憶する当該駅を識別する第２の駅識別情報と読み取られた前記第１の駅識別情報を比較し、
（３）前記比較の結果一致する場合に、前記購入情報が、自身が格納している割引条件を満たすか否かを判断し、
（４）前記判断の結果割引条件を満たす場合に、前記録媒体又は、記録を管理する装置を管理する装置に、前記割引に該当する金額を示すデータを追加して記録又は表示する
ことを特徴とする交通機関における割引支援方法。
【請求項２】
請求項１に記載の交通機関における割引支援方法において、
前記店舗装置は、前記記憶媒体に、前記購入情報として、購入金額を書き込み、
前記第２の自動改札機は、前記割引条件として金額情報を記憶し、当該金額情報が示す金額より前記購入金額が大きい場合、前記割引条件を満たすと判断する
ことを特徴とする交通機関における割引支援方法。
【請求項３】
請求項１に記載の交通機関における割引支援方法において、
前記店舗装置は、割引条件を記憶しておき、前記購入が当該割引条件を満たすか否かを判断し、前記割引条件を満たすと判断した場合、前記購入情報として、前記割引条件を満たすことを示す割引条件充足情報を書き込み、
前記第２の自動改札機は、前記記憶媒体から前記割引条件充足情報を読み取ることが可能だった場合、前記割引条件を満たすと判断する
ことを特徴とする交通機関における割引支援方法。
【請求項４】
請求項３に記載の交通機関における割引支援方法において、
前記店舗装置は、前記記憶媒体に、前記割引条件充足情報として、前記店舗が設置された駅を識別する第３の識別情報を書き込み、
前記第２の自動改札機は、前記第３の駅識別情報が前記第１の駅識別情報および前記第２の駅識別情報の一方と一致する場合、前記割引条件を満たすと判断する
ことを特徴とする交通機関の割引支援方法。
【請求項５】
請求項１乃至４のいずれかに記載の交通機関の割引支援方法において、
前記第１の自動改札機は、前記入場の際に前記記憶媒体に対して、入場料金の減算処理を施し、
前記第２の自動改札機は、前記割引に該当する金額として、前記入場料金の補充処理を施す
ことを特徴とする交通機関の割引支援方法。
【発明の詳細な説明】
【技術分野】
【０００１】
本発明は、鉄道などの交通機関やその交通機関に付随して設置された店舗の利用における料金の算出に関する。この中でも、駅構内など交通機関の敷地内に設置された店舗での購入に対するインセンティブの付与（割引、ポイント付与、還元）を行うための技術に関する。
【背景技術】
【０００２】
現在、交通機関の利用において、ＩＣカードを利用した自動改札システムが用いられている。ＩＣカードを利用した場合、入退場の制御の他、交通機関の割引処理や精算処理の自動化、あるいは提携店舗利用に対するポイント付与などのインセンティブを与えることが可能になっている。
【０００３】
交通機関の割引処理や精算処理の自動化に関しては、特許文献１に開示されている。つまり、特許文献１においては、１つのＩＣカードを定期券や回数券などの各種乗車券として兼用させるための技術が開示されている。このために、特許文献１では、乗車券媒体が運賃徴収装置本体で使用されたときに、その乗車券媒体に記録されている、所定の割引情報を読取る読取手段と、読取られた所定の割引情報を基に運賃を算出する算出手段と、算出された運賃が所定の割引条件を満たしているときに、前記乗車券媒体に記録されているＳＦ情報部からその割引かれた運賃を減額処理し、その算出された運賃が所定の割引条件を満たしていないときに、その乗車券媒体に記録されているＳＦ情報部から通常の運賃を減額処理する減額処理手段とからなるシステムが開示されている。
【０００４】
また、提携店舗利用に対するポイント付与などのインセンティブを与えることに関しては、特許文献２に開示がされている。特許文献２では、利用者以外(提携店舗)が運賃を負担するサービスを効率的に行うことを目的としている。本目的を達成するために、特許文献２では、提携先利用日および提携先負担金額を記憶媒体に格納しておき(S22〜S24)、乗車の際に、記憶媒体に提携先利用日と入場日との比較をし、利用日が所定条件（一定期間内か）を満たさない場合、提携先負担金を０クリアし(S32)、出場時には記憶された提携先負担金を用いて運賃補正する(S46,47)ことが開示されている。
【０００５】
【特許文献１】特開２００１−１４３１０８号公報
【特許文献２】特開２００１−３５１１３０号公報
【発明の開示】
【発明が解決しようとする課題】
【０００６】
しかしながら、特許文献１および２においては、駅構内など交通機関敷地内に設置された店舗での購入に関しては、何ら考慮されていない。特に、交通機関は利用しない利用客に対しても、入場料などの余分な費用を使わせることになってしまう。このため、交通機関は利用しないが店舗の利用のみしたい、との利用客についての利用を妨げることになってしまう。
【課題を解決するための手段】
【０００７】
そこで、本発明では、より駅構内での店舗での購入を後押しするような、もしくは、交通機関を利用しない利用客も店舗へ取り込めるような還元、割引、ポイント付与などのインセンティブの付与を可能とする情報処理技術を提供することを目的とする。
【０００８】
この目的を達成するために本発明では、乗車券や入場券などとして用いられる記憶媒体（ＩＣカードを含む）に、交通機関の利用状況や店舗での購入の内容示す利用情報を書き込み、本利用情報に基づき、出場時に用いる自動改札機でインセンティブを付与するか否かを判断する。ここで、利用情報には、駅識別情報や購入の内容を示す購入情報が含まれる。
【０００９】
また、より詳細には、本発明には以下の態様が含まれる。
駅構内に設置された店舗での購入に応じて、前記交通機関の利用料金もしくは前記購入での金額の割引を行うための交通機関における割引支援方法において、前記利用者が前記駅構内に入場する際に、第１の自動改札機が、利用者が前記駅構内に入場するために用いる記憶媒体に当該駅と識別する第１の駅識別情報を書き込み、前記利用者が前記店舗で購入した際、前記店舗で用いられる店舗装置が、前記記憶媒体に、当該購入に関する購入情報を書き込み、前記利用者が前記駅構内に出場する際に、第２の自動改札機が、（１）前記記憶媒体から、書き込まれた前記第１の駅識別情報を読み取り、
（２）自身が記憶する当該駅を識別する第２の駅識別情報と読み取られた前記第１の駅識別情報を比較し、（３）前記比較の結果一致する場合に、前記購入情報が、自身が格納している割引条件を満たすか否かを判断し、（４）前記判断の結果割引条件を満たす場合に、前記記憶媒体に、前記割引に該当する金額を示すデータを追加して書き込む交通機関における割引支援方法。
【００１０】
また、この交通機関における割引支援方法において、前記店舗装置は、前記記憶媒体に、前記購入情報として、購入金額を書き込み、前記第２の自動改札機は、前記割引条件として金額情報を記憶し、当該金額情報が示す金額より前記購入金額が大きい場合、前記割引条件を満たすと判断することも本発明に含まれる。
【００１１】
また、上記の交通機関における割引支援方法において、前記店舗装置は、割引条件を記憶しておき、前記購入が当該割引条件を満たすか否かを判断し、前記割引条件を満たすと判断した場合、前記購入情報として、前記割引条件を満たすことを示す割引条件充足情報を書き込み、前記第２の自動改札機は、前記記憶媒体から前記割引条件充足情報を読み取ることが可能だった場合、前記割引条件を満たすと判断するものも本発明に含まれる。さらに、この交通機関における割引支援方法において、前記店舗装置は、前記記憶媒体に、前記割引条件充足情報として、前記店舗が設置された駅を識別する第３の識別情報を書き込み、前記第２の自動改札機は、前記第３の駅識別情報が前記第１の駅識別情報および前記第２の駅識別情報の一方と一致する場合、前記割引条件を満たすと判断することも本発明に含まれる。
【００１２】
またさらに、これらの交通機関の割引支援方法において、前記第１の自動改札機は、前記入場の際に前記記憶媒体に対して、入場料金の減算処理を施し、前記第２の自動改札機は、前記割引に該当する金額として、前記入場料金の補充処理を施すことも本発明に含まれる。
【００１３】
さらに、上記の処理を実行するための装置、システムやそのためのプログラムも本発明に含まれる。なお、上述した第１の自動改札機と第２の自動改札機は、同じものであってもよい。
【発明の効果】
【００１４】
以上の構成により、本発明では、駅構内など交通機関敷地内に設置された店舗での購入に関するインセンティブの付与をすることが可能になる。
【発明を実施するための最良の形態】
【００１５】
本発明の実施の形態について、図面を用いて説明する。本実施の形態は、ＩＣカードの残額へ格納されている金額が￥5000-の人が、東京駅入場→東京駅内で店舗Ａで￥1000-の商品を購入，店舗Ｂで￥3000-の商品を購入→入場してから３時間経過後に東京駅を出場 した場合を例に説明するが、本発明はそれに限定されるものではない。
【００１６】
また、鉄道会社への負担金額の算出方法としては、還元処理を行なうにあたり店舗にて購入された金額の１ヶ月間の合計売上に比例する配分にて支払うこととし説明をするが、本発明はそれに限定されるものではない。
【００１７】
本実施の形態の例として２通り説明する。改札機側にて割引／還元処理を行なう形態と、店舗側にて割引フラグを付与することにより改札機側での処理を軽減する形態である。
【００１８】
まずはじめに、改札機側にて割引／還元処理を行なう形態を説明する。図１は、本発明による割引/還元システムの全体構成を示すブロック図である。本実施形態は、前記利用者が保持しているＩＣカード１００と、割引/還元機能を搭載した自動改札機２００、物販店舗３００、還元した金額を管理し物販店舗が鉄道会社へ支払う負担金を管理する中央センター４００で構成される。
【００１９】
ＩＣカード１００は、１回の入場から出場間において店舗にて購入した金額の総計の情報を保持するTotal利用金額を管理しているＩＣカードテーブル１１０からなる。
【００２０】
自動改札機２００は、改札機が固有で保持している情報を管理する改札機固有テーブル２１０と、自動改札機が中央センターへ送信する情報を管理する改札機一件明細情報ファイル２２０、駅内へ入場する際にＩＣカードより入場料金を減算しTotal利用金額を初期化する改札機入場処理２３０、駅外へ出場する際に入場駅と出場駅が等しい場合に自動改札機より出場可能とし、ある一定金額以上購入していた場合は、入場料金を割引/還元し改札機一件明細情報ファイルを作成する改札機入場処理（割引/還元機能付）２４０からなる。
【００２１】
物販店舗３００は、店舗が固有で保持している情報を管理する店舗固有テーブル３１０と、店舗が中央センターへ送信する情報を管理する店舗一件明細情報ファイル３２０、物販店舗にて購入をした際にTotal購入金額へ加算を行ない、店舗一見明細情報ファイルを作成する購入処理３３０からなる。
【００２２】
中央センター４００は、改札機と物販店舗より送信されたデータをマージすることにより作成した個人情報データベース４１０と割引還元金額データベース４２０、個人情報データベース４１０と割引還元金額データベース４２０より各物販店舗が鉄道会社へ支払う金額を算出する負担金額配分処理４３０からなる。
【００２３】
図２−１は、自動改札機より入場し、物販店舗にて購入を行い、自動改札機より出場した場合の流れを説明したトレードシーケンス（１回の入出場単位）である。
【００２４】
図３は、自動改札機と物販店舗にて蓄積された一件明細情報ファイルをバッチ処理（例えば、一日一回）にてより中央センターへ送信する流れを説明したトレードシーケンス（一日単位）である。
【００２５】
図４−１は、ＩＣカードテーブルフォーマット１１０とＩＣカードテーブルフォーマットの項目説明である。図５−１は、改札機固有テーブルフォーマット２１０と改札機固有テーブルフォーマットの項目説明、還元対象の場合の金額の例えを表した還元金額対応表である。図６は、改札機一件明細情報ファイルのフォーマット２２０である。
【００２６】
図７−１は、店舗固有テーブルフォーマット３１０と店舗固有テーブルフォーマットの項目説明である。図８は、店舗一件明細情報ファイルのフォーマット３２０である。
【００２７】
図９は、個人情報データベースフォーマット４１０である。毎日改札機より送られてくる改札機一件明細情報ファイルと、毎日店舗より送られてくる店舗一件明細情報ファイルのデータをマージして作成される個人情報データベースについて、例を用い説明したものである。
【００２８】
図10は、割引還元金額データベースフォーマット４２０である。毎日改札機より送られてくる改札機一件明細情報ファイルの中で、利用客へ還元を行なった情報を蓄積したものである。
【００２９】
図11−１は、入場時に自動改札機がＩＣカードに対して行なう処理を示すフローチャートである。改札機入場処理は、ＩＣカードテーブルの「電子マネー情報」（残金）より、改札機固有テーブルの「電子マネー情報」（入場料）を減算する（Ｓ００１）。本例では入場料を￥130-とする。減算結果は￥4870-となる。この￥4870-をＩＣカードテーブルの「電子マネー情報」（残金）へ上書きする（Ｓ００２）。そして駅内へ入場した記録をＩＣカードへ書き込む（Ｓ００３）。そして、一回の入出場の間に、いくら購入したかを記録してあるＩＣカードテーブルの「電子マネー情報」（Total利用金額）の初期化を行なう（Ｓ００４）。本例では初期化は￥0-を上書きすることである。
【００３０】
図12−１は、出場時に自動改札機がＩＣカードに対して行なう処理を示すフローチャートである。改札機出場処理（割引/還元機能付）は、入場駅と出場駅が等しいかの判定を行い（Ｓ００５）、等しい場合には割引／還元機能処理（Ｓ００６〜Ｓ０１１）を行なう。Ｓ００５では、ＩＣカードテーブルの（駅ＩＤ）と改札機固有テーブルの「改札機情報」（駅ＩＤ）とが一致すれば、入場駅と出場駅が等しいと判断し、一致しなければ入場駅と出場駅が異なっていると判断する。Ｓ００６において、自動改札機は、一回分の入場料代で決められた時間内かどうかを判定する。本例では、決められた時間を２時間とする。自動改札機は、この「２時間」を改札機固有テーブル（但し、本情報は図示せず）に格納しておき、また現時刻を計測する手段と有する。そして、ＩＣカードのＩＣカードテーブルの「カード情報」（年月日）と現時刻を比較して、２時間以内かを判断する。
【００３１】
割引／還元機能処理は、まず始めに入場から出場までの時間を計算し、２時間以上駅構内にいた場合には、再度入場料金をＩＣカードより減算する（Ｓ００７）。そして減算結果をＩＣカードへ上書きをする（Ｓ００８）。駅内の店舗にて購入をしていた場合Ｓ００９は、購入金額に合わせた入場料の割引金額を決定し、ＩＣカードへ還元する（Ｓ０１０〜Ｓ０１１）。本例では￥2000-以上購入していた場合、還元対象とする。還元とは購入金額と入場時間に対応した割引金額をＩＣカードテーブルの「電子マネー情報」（残額）と加算し（Ｓ０１０）、加算結果をＩＣカードテーブルの「電子マネー情報」残額に上書きをする（Ｓ０１１）処理である。Ｓ０１０を行なう際、駅構内にいた時間により割引料金の最大値が異なる。これは２時間以内の入場時間の場合と２時間以上入場していた場合とでは、入場料金の徴収していた金額が異なるためである。本例では駅構内に２時間以内入場していた場合の入場代金は￥130-であり、２時間以上入場していた場合の入場代金は￥260-である。この金額を割引金額の最大値とする。最後に、駅外へ出場した記録をＩＣカードへ書き込む（Ｓ０１２）。
【００３２】
入場駅と出場駅が等しくない場合は、割引/還元処理（Ｓ００６〜Ｓ０１１）は行なわず、駅外へ出場した記録をＩＣカードへ書き込む（Ｓ０１２）。本例では、入場駅と出場駅が等しいため、割引／還元処理を実行し、駅構内に入場していた時間は２時間以上であるため、再度入場料￥130-を支払う。そして、１回の入出場の間で物販店舗にて購入していたTotal利用金額が￥4000-であるので、割引対象となり、還元金額対応表（例）より、￥190-のＩＣカードへの還元処理を実行後、出場記録をＩＣカードへ上書きをする。
【００３３】
図13−１は、駅内の物販店舗にて購入を行なう際に、物販店舗がＩＣカードに対して行なう処理を示すフローチャートである。
購入処理フローは、まずＩＣカードテーブルの「電子マネー情報」（残額）より店舗側が管理している「電子マネー情報」（利用金額）を減算することにより、店舗にて物販を購入した金額をＩＣカードより減算する（Ｓ０１３）。そして減算結果をＩＣカードへ上書きする（Ｓ０１４）。一回の入出場間にて店舗で購入した金額を管理しているＩＣカードテーブルの「電子マネー情報」（Total利用金額）へ店舗にて購入した金額を加算する（Ｓ０１５）。そして加算結果をＩＣカードへ上書きする（Ｓ０１６）。本例では、店舗Ａと店舗Ｂの２箇所で購入しているので、２回の購入処理が行なわれることとなる。
【００３４】
図14は、自動改札機と物販店舗より送信された１ヶ月分のデータをもとに算出された、自動改札機から利用者へ還元した合計金額を、各物販店舗が負担する際の内訳を算出する処理である。
【００３５】
負担金額配分処理は、割引還元金額データベースより一件分特定する（Ｓ０１８）。特定した情報に対する個人情報データベースを抜き出す（Ｓ０１９）。そして、特定した情報は出場記録であることから、そこから時間を遡り入場記録が記載されるまでのデータを抜き出す（Ｓ０２０）。本例では入場の記録，店舗Ａと店舗Ｂでの購入記録，出場記録の計４件のデータを抜き出すこととなる。抜き出した情報の中で、駅内の物販店舗にて購入を行なっている場合は（Ｓ０２１）、各店舗毎の売上総計へ購入した金額を加算する（Ｓ０２２）。本例では、駅構内に店舗がＡ・Ｂ・Ｃと３店舗あることとしているので、Ｓ０２２を３回行なうよう制御する。以上Ｓ０１８〜Ｓ０２２の処理が、割引還元を行なった件数について、全件分処理を完了するまで続けられる（Ｓ０１７）。なお、この場合、全件とせず、一定件数としてもよい。全件分処理を完了となると、利用者へ還元を行なうに当たり購入した金額の各店舗毎の売上総計が算出されていることになる。そこで、各店舗毎の売上総計の比を求める（Ｓ０２３）。本例では店舗Ａ：店舗Ｂ：店舗Ｃの売上の比を２：３：５とする。予め算出しておいた利用者へ割引還元した金額の総計を、各店舗毎の売上に比例する重み付きで除算を行うことにより、鉄道会社へ支払う各店舗毎の負担金額の算出を行なう（Ｓ０２４）。予め算出しておいた利用者へ割引還元した金額の総計を￥1000-とすると、各店舗が負担する金額は、店舗Ａ＝￥200-，店舗Ｂ＝￥300-，店舗Ａ＝￥500-となる。
【００３６】
図15−１は、改札機入場処理における、ＩＣカードテーブル・改札機固有テーブル・改札機一件明細情報ファイル間における、データの流れを示したものである。
【００３７】
ＩＣカードテーブルと改札機固有テーブル間の処理の流れは、図11−１に従う。改札機一件明細情報ファイルの作成は図11−１の処理完了後、必要データをＩＣカードテーブルと改札機固有テーブルより設定する。特に、改札機一件明細情報ファイルの残額については、入場料金￥130-を減算後の値を設定する。
【００３８】
図16−１は、改札機出場処理における、ＩＣカードテーブル・改札機固有テーブル・改札機一件明細情報ファイル間における、データの流れを示したものである。
ＩＣカードテーブルと改札機固有テーブル間の処理の流れは図12−１に従う。改札機一件明細情報ファイルの作成は（Ｓ０１２）完了後に作成されるが、入場駅と出場駅が等しく、入場料を再度減算される場合には（Ｓ００８）完了後にも作成される。
【００３９】
図17−１は、駅内の物販店舗にて購入する際の処理における、ＩＣカードテーブル・店舗固有テーブル・店舗一件明細情報ファイル間における、データの流れを示したものである。
【００４０】
ＩＣカードテーブルと店舗固有テーブル間の処理の流れは図13−１に従う。店舗一件明細情報ファイルの作成は、図12−１の処理完了後、必要データをＩＣカードテーブルと店舗固有テーブルより設定する。特に、店舗一件明細情報ファイルの残額については、購入料金を加算後の値を設定する。
【００４１】
続いて、店舗側にて割引フラグを付与することにより改札機側での処理を軽減する形態を説明する。改札機側にて割引／還元処理を行なう形態と同様の処理については説明を省略する。
【００４２】
図１は、本発明による割引/還元システムの全体構成を示すブロック図である。本実施形態は、前記利用者が保持しているＩＣカード１００と、還元機能を搭載した自動改札機２００、割引フラグを付与した物販店舗３００、還元した金額を管理し物販店舗が鉄道会社へ支払う負担金を管理する中央センター４００で構成される。
【００４３】
ＩＣカード１００は、１回の入場から出場間において店舗にて購入した金額の総計の情報を保持するTotal利用金額を管理していると共に、出場の際に、入場駅と同一であり、物販店舗にて購入を行なっており還元対象である場合に、還元される金額を保持している還元料金を管理しているＩＣカードテーブル１１０からなる。
【００４４】
自動改札機２００は、改札機が固有で保持している情報を管理する改札機固有テーブル２１０と、自動改札機が中央センターへ送信する情報を管理する改札機一件明細情報ファイル２２０、駅内へ入場する際にＩＣカードより入場料金を減算しTotal利用金額を初期化する改札機入場処理２３０、駅外へ出場する際に入場駅と出場駅が等しい場合に自動改札機より出場可能とし、ＩＣカードより還元料金を抜き出し、入場料金に対し割引/還元を行い、改札機一件明細情報ファイルを作成する改札機入場処理（割引/還元機能付）２４０からなる。
【００４５】
物販店舗３００は、店舗が固有で保持している情報を管理する店舗固有テーブル３１０と、店舗が中央センターへ送信する情報を管理する店舗一件明細情報ファイル３２０、物販店舗にて購入をした際にTotal購入金額へ加算を行い、Total購入金額に合わせた還元金額の設定を行い、店舗一件明細情報ファイルを作成する購入処理３３０からなる。
【００４６】
図２−２は、自動改札機より入場し、物販店舗にて購入を行い、自動改札機より出場した場合の流れを説明したトレードシーケンス（１回の入出場単位）である。図４−２は、ＩＣカードテーブルフォーマット１１０である。図５−２は、改札機固有テーブルフォーマット２１０である。
【００４７】
図７−２は、店舗固有テーブルフォーマット３１０である。図11−２は、入場時に自動改札機がＩＣカードに対して行なう処理を示すフローチャートである。
【００４８】
改札機入場処理は、ＩＣカードテーブルの「電子マネー情報」（残金）より、改札機固有テーブルの「電子マネー情報」（入場料）を減算する（Ｓ１０１）。本例では入場料を￥130-とする。減算結果は￥4870-となる。この￥4870-をＩＣカードテーブルの「電子マネー情報」（残金）へ上書きする（Ｓ１０２）。そして駅内へ入場した記録をＩＣカードへ書き込む（Ｓ１０３）。最後に、一回の入出場の間に、いくら購入したかを記録してあるＩＣカードテーブルの「電子マネー情報」（Total利用金額）の初期化を行なう（Ｓ１０４）。本例では初期化は￥0-を上書きすることである。
【００４９】
図12−２は、出場時に自動改札機がＩＣカードに対して行なう処理を示すフローチャートである。
改札機出場処理（還元機能付）は、入場駅と出場駅が等しいかの判定を行い（Ｓ１０５）、等しい場合には還元機能処理（Ｓ１０６〜Ｓ１１０）を行なう。Ｓ１０５では、ＩＣカードテーブルの（駅ＩＤ）と改札機固有テーブルの「改札機情報」（駅ＩＤ）とが一致すれば、入場駅と出場駅が等しいと判断し、一致しなければ入場駅と出場駅が異なっていると判断する。Ｓ１０６において、自動改札機は、一回分の入場料代で決められた時間内かどうかを判定する。本例では、決められた時間を２時間とする。自動改札機は、この「２時間」を改札機固有テーブル（但し、本情報は図示せず）に格納しておき、また現時刻を計測する手段と有する。そして、ＩＣカードのＩＣカードテーブルの「カード情報」（年月日）と現時刻を比較して、２時間以内かを判断する。
【００５０】
還元機能処理は、まず始めに入場から出場までの時間を計算し、２時間以上駅構内にいた場合には、再度入場料金をＩＣカードより減算する（Ｓ１０７）。そして減算結果をＩＣカードへ上書きをする（Ｓ１０８）。そしてＩＣカードテーブルの「電子マネー情報」（還元金額）とＩＣカードテーブルの「電子マネー情報」（残額）とを加算する（Ｓ１０９）。この際、入場料金として徴収していた金額以上を還元しないこととする。本例では駅構内に２時間以内入場していた場合の入場代金は￥130-であり、２時間以上入場していた場合の入場代金は￥260-である。この金額を割引金額の最大値とする。加算結果をＩＣカードテーブルの「電子マネー情報」残額に上書きをする（Ｓ１１０）。最後に、駅外へ出場した記録をＩＣカードへ書き込む（Ｓ１１１）。入場駅と出場駅が等しくない場合は、割引/還元処理（Ｓ１０６〜Ｓ１１０）は行なわず、駅外へ出場した記録をＩＣカードへ書き込む（Ｓ１１１）。本例では、入場駅と出場駅が等しいため、還元処理を実行し、駅構内に入場していた時間は２時間以上であるため、再度入場料￥130-を支払う。そして、１回の入出場の間で物販店舗にて購入していたTotal利用金額が￥4000-であるので、割引対象となり、還元金額対応表（例）より、￥190-のＩＣカードへの還元処理を実行後、出場記録をＩＣカードへ上書きをする。
【００５１】
図13−２は、駅内の物販店舗にて購入を行なう際に、物販店舗がＩＣカードに対して行なう処理を示すフローチャートである。
【００５２】
購入処理フローは、まずＩＣカードテーブルの「電子マネー情報」（残額）より店舗側が管理している店舗にて物販を購入した金額「電子マネー情報」（利用金額）を減算し（Ｓ１１２）、減算結果をＩＣカードテーブルの「電子マネー情報」（残額）へ書き込む（Ｓ１１３）。そして、入場駅と同一の駅に店舗があるかどうかの判定を行い（Ｓ１１４）、同一駅である場合には割引フラグを付与する処理を行なう（Ｓ１１５〜Ｓ１１８）。入場駅と店舗が同一駅でない場合には、何も処理を実行しない。
【００５３】
割引フラグを付与する処理は、まず店舗に購入した金額を、ＩＣカードテーブルの「電子マネー情報」（Total利用金額）に加算し（Ｓ１１５）、加算結果をＩＣカードテーブルの「電子マネー情報」（Total利用金額）に上書きする（Ｓ１１６）。そして、入場駅と同一駅内にある店舗にて、ある一定金額以上の購入をしていた場合には（Ｓ１１７）その購入金額に合った割引金額を、ＩＣカードの「電子マネー情報」（還元金額）へ書き込む（Ｓ１１８）。このＩＣカードの「電子マネー情報」（還元金額）に書き込まれた金額が￥0-より大きいかどうかにより、入場駅と出場駅が同一である場合の出場の際に還元処理を行なうかどうかのフラグの役割となる。
【００５４】
図15−２は、改札機入場処理における、ＩＣカードテーブル・改札機固有テーブル・改札機一件明細情報ファイル間における、データの流れを示したものである。
【００５５】
ＩＣカードテーブルと改札機固有テーブル間の処理の流れは図11−２に従う。改札機一件明細情報ファイルの作成は図11−２の処理完了後、必要データをＩＣカードテーブルと改札機固有テーブルより設定する。特に、改札機一件明細情報ファイルの残額については、入場料金￥130-を減算後の値を設定する。
【００５６】
図16−２は、改札機出場処理における、ＩＣカードテーブル・改札機固有テーブル・改札機一件明細情報ファイル間における、データの流れを示したものである。
【００５７】
ＩＣカードテーブルと改札機固有テーブル間の処理の流れは図12−２に従う。改札機一件明細情報ファイルの作成は（Ｓ１１１）完了後に作成されるが、入場駅と出場駅が等しく、入場料を再度減算される場合には（Ｓ１０８）完了後にも作成される。
【００５８】
図17−２は、駅内の物販店舗にて購入する際の処理における、ＩＣカードテーブル・店舗固有テーブル・店舗一件明細情報ファイル間における、データの流れを示したものである。
【００５９】
ＩＣカードテーブルと店舗固有テーブル間の処理の流れは図13−２に従う。店舗一件明細情報ファイルの作成は、図12−２の処理完了後、必要データをＩＣカードテーブルと店舗固有テーブルより設定する。特に、店舗一件明細情報ファイルの残額については、購入料金を加算後の値を設定する。
【００６０】
なお、本実施の形態では、入場時に￥130-（入場料）を減算する（Ｓ００１）（Ｓ１０１）構成としているが、入場時にこれを行なわなくともよい。この場合、（Ｓ００７）（Ｓ１０７）において￥260-を減算し、（Ｓ０１０）（Ｓ１０９）において、割引料金の加算の代わりに￥130-（入場料）から割引料金を減じた金額を減算する構成としてもよい（最大￥0-の減算）。また、入場時に入場料でなく、初乗り運賃などの他の金額を減算する構成にしてもよいし、割引金額の加算時にこの他の金額を減じた金額を減算する構成としても良い。
【００６１】
また、事故などが発生した場合、無料で出場されるよう制御してもよい。この制御は、上述の各出場処理（入場料等の減算）抑止し出場できるよう制御してもよいし、入場料等から割引料金を減じた金額の加算を行うよう制御してもよい。
【００６２】
以上、本実施の形態では、媒体等に各情報を記録する構成で説明したが、以下の態様としてもよい。センター装置や改札機で集中的に情報を管理する。この場合、媒体等に、これらの情報を表示させてもよいし、あわせてこれらの情報を媒体等に記録してもよい。
【図面の簡単な説明】
【００６３】
【図１】本発明による割引/還元システムの全体構成を示すブロック図である。
【図２−１】改札機側で割引／還元処理を実行する場合の、１回の入出場単位についてのトレードシーケンスである。
【図２−２】店舗側で割引フラグを付与する場合の、１回の入出場単位についてのトレードシーケンスである。
【図３】バッチ処理についてのトレードシーケンスである。
【図４−１】改札機側で割引／還元処理を実行する場合の、ＩＣカードテーブルフォーマットとＩＣカードテーブルフォーマットの項目説明である。
【図４−２】店舗側で割引フラグを付与する場合の、ＩＣカードテーブルフォーマットとＩＣカードテーブルフォーマットの項目説明である。
【図５−１】改札機側で割引／還元処理を実行する場合の、改札機固有テーブルフォーマットと改札機固有テーブルフォーマットの項目説明、還元金額対応表である。
【図５−２】店舗側で割引フラグを付与する場合の、改札機固有テーブルフォーマットと改札機固有テーブルフォーマットの項目説明、還元金額対応表である。
【図６】改札機一件明細情報ファイルのフォーマットである。
【図７−１】改札機側で割引／還元処理を実行する場合の、店舗固有テーブルフォーマットと店舗固有テーブルフォーマットの項目説明である。
【図７−２】店舗側で割引フラグを付与する場合の、店舗固有テーブルフォーマットと店舗固有テーブルフォーマットの項目説明である。
【図８】店舗一件明細情報ファイルのフォーマットである。
【図９】個人情報データベース状態の例である。
【図１０】割引還元金額データベースフォーマットである。
【図１１−１】改札機側で割引／還元処理を実行する場合の、入場時に自動改札機がＩＣカードに対して行なう処理を示すフローチャートである。
【図１１−２】店舗側で割引フラグを付与する場合の、入場時に自動改札機がＩＣカードに対して行なう処理を示すフローチャートである。
【図１２−１】改札機側で割引／還元処理を実行する場合の、出場時に自動改札機がＩＣカードに対して行なう処理を示すフローチャートである。
【図１２−２】店舗側で割引フラグを付与する場合の、出場時に自動改札機がＩＣカードに対して行なう処理を示すフローチャートである。
【図１３−１】改札機側で割引／還元処理を実行する場合の、物販店舗がＩＣカードに対して行なう処理を示すフローチャートである。
【図１３−２】店舗側で割引フラグを付与する場合の、物販店舗がＩＣカードに対して行なう処理を示すフローチャートである。
【図１４】各物販店舗が鉄道会社へ支払う金額を算出する処理である。
【図１５−１】改札機側で割引／還元処理を実行する場合の、改札機入場処理におけるデータの流れを示したものである。
【図１５−２】店舗側で割引フラグを付与する場合の、改札機入場処理におけるデータの流れを示したものである。
【図１６−１】改札機側で割引／還元処理を実行する場合の、改札機出場処理におけるデータの流れを示したものである。
【図１６−２】店舗側で割引フラグを付与する場合の、改札機出場処理におけるデータの流れを示したものである。
【図１７−１】改札機側で割引／還元処理を実行する場合の、駅内の物販店舗にて購入する際の処理におけるデータの流れを示したものである。
【図１７−２】店舗側で割引フラグを付与する場合の、駅内の物販店舗にて購入する際の処理におけるデータの流れを示したものである。
【符号の説明】
【００６４】
100  ＩＣカード
200  自動改札機
300  物販店舗
400  中央センター
110  ＩＣカードテーブル
210  改札機固有テーブル
220  改札機一件明細情報ファイル
230  改札機入場処理
240  改札機出場処理（割引／還元機能付）（還元機能付）
310  店舗固有テーブル
320  店舗一件明細情報ファイル
330  購入処理（割引フラグ付与機能無し）（割引フラグ付与機能有り）
410  個人情報データベース
420  割引還元金額データベース
430  負担金額配分処理
【図１】
2008197940.tif 000003
【図２−１】
2008197940.tif 000004
【図２−２】
2008197940.tif 000005
【図３】
2008197940.tif 000006
【図４−１】
2008197940.tif 000007
【図４−２】
2008197940.tif 000008
【図５−１】
2008197940.tif 000009
【図５−２】
2008197940.tif 000010
【図６】
2008197940.tif 000011
【図７−１】
2008197940.tif 000012
【図７−２】
2008197940.tif 000013
【図８】
2008197940.tif 000014
【図９】
2008197940.tif 000015
【図１０】
2008197940.tif 000016
【図１１−１】
2008197940.tif 000017
【図１１−２】
2008197940.tif 000018
【図１２−１】
2008197940.tif 000019
【図１２−２】
2008197940.tif 000020
【図１３−１】
2008197940.tif 000021
【図１３−２】
2008197940.tif 000022
【図１４】
2008197940.tif 000023
【図１５−１】
2008197940.tif 000024
【図１５−２】
2008197940.tif 000025
【図１６−１】
2008197940.tif 000026
【図１６−２】
2008197940.tif 000027
【図１７−１】
2008197940.tif 000028
【図１７−２】
2008197940.tif 000029